(57)【要約】【課題】        果実等の色づきを促進させるとともに、当該果実等は日持ちが低下しないような、果樹及び／又は果菜用の葉面散布剤を提供する。【解決手段】    カリウム成分とリン酸成分を主たる有効成分として含有し、その質量比φ（Ｋ2Ｏ／Ｐ2Ｏ5）が式（１）の範囲にあり、１．０≦φ≦２．５  （１）、また、散布時の濃度が式（２）及び（３）の範囲にあるような果樹や果菜等用葉面散布剤を使用する。１０≦Ｋ2Ｏ≦５０００ｐｐｍ                （２）１０≦Ｐ2Ｏ5≦５０００ｐｐｍ              （３）この葉面散布剤は、カリウム成分として少なくとも一部は水溶性カリウム塩を、リン酸成分として正リン酸、縮合リン酸、縮合リン酸カリを選択して、これらを、上記式を充足するように混合して得ることができる。さらに、その効果を安定的に得るためには、蔗糖脂肪酸エステルを配合する。【選択図】    なし【特許請求の範囲】
【請求項１】
少なくともカリウム成分とリン酸成分を有効成分として含有し、その質量比φ（Ｋ2Ｏ／Ｐ2Ｏ5）が式（１）の範囲にあり、
１．０≦φ≦２．５      （１）
散布時の濃度が式（２）及び（３）の範囲にあり、さらに当該カリウム成分は、少なくともその一部が水溶性カリウム塩由来のものであることを特徴とする果樹及び／又は果菜用葉面散布剤。
１０≦Ｋ2Ｏ≦５０００ｐｐｍ                （２）
１０≦Ｐ2Ｏ5≦５０００ｐｐｍ              （３）
【請求項２】
さらに蔗糖脂肪酸エステルを配合してなる請求項１に記載の果樹及び／又は果菜用葉面散布剤。
【発明の詳細な説明】
【技術分野】
【０００１】
本発明は、葉面散布剤に関し、より詳しくは果樹や果菜（以下「果樹等」ということがある。）の品質、特にその果実の着色等を向上させるとともに、その硬度の低下を伴わない葉面散布剤に関する。
【背景技術】
【０００２】
葉面散布剤は、種々の植物に対する栄養成分を含有する薬液であって、基本的にこれをその葉面に散布・浸透させることにより、葉面から当該栄養成分を吸収させる速効性を有する薬剤である。当該薬剤は、主たる施肥方法たる土壌施肥を補完し、例えば農作物の品質向上や生理障害に対する応急対策として以前から好適に使用されている。
【０００３】
従来、リンゴ、ナシ、ミカン等の果実やトマト、ピーマン等の果菜の糖度向上、耐病性改善等の品質向上を目的とする葉面散布剤の有効成分としては、種々のものが知られている。例えば、塩化カルシウム、硝酸カルシウム、ギ酸カルシウム、炭酸カルシウム、酢酸カルシウム、プロピオン酸カルシウム、エチレンジアミン四酢酸カルシウム、コハク酸カルシウム、乳酸カルシウム、ケイ酸マグネシウム、ケイ酸カルシウム、アスコルビン酸、メチオニン、グリシン、アラニン、バリン、セリン、ロイシン、アスパラギン酸、グルタミン酸、第一リン酸カルシウム、第一リン酸カリ及びリン酸マグネシウム等が公知である。 
【０００４】
しかしながら、これらの成分のほとんどは、主として、果実や果菜（以下「果実等」ということがある。）の糖度向上、生理障害の予防や処置、肥大促進等の肥効を有するものであり、果実等の着色を顕著に向上させるものはほとんど見あたらない。
【０００５】
一般的に、リンゴ、ミカン、カキ等の果実、トマト、イチゴ、メロン等の果菜は、その商品価値を判断する基準として、まずその糖度等の甘み成分が高いことはもちろん第一であるが、表面の色彩（着色）は、消費者の購買意欲を刺激する上で、考慮すべき最大のファクターの一つである。
【０００６】
実際にリンゴ、サクランボ、イチゴ、トマト等の果実が、商品として陳列される際には、その表面が鮮やかでみずみずしい赤色を帯びていることが、消費者の目を引きつけ、注意を喚起する第一歩となる。スーパーマーケット等の生鮮食料品売り場に並べられた商品である真っ赤なリンゴ、サクランボ、イチゴ等は、いわばこの鮮やかな赤色により、その売り場における自らの存在を懸命にアピールしようとしているということができ、また、買い物かご片手に、新鮮で美味な果実等を物色しつつ売り場内を移動する買い物客は、この鮮やかな赤い色彩に魅惑され、経験的にそのリンゴ等が極めて甘く美味であることを認識し、この好印象をもとに当該リンゴ等の購入を決意するに至る。この際、表面の青いリンゴなどは、通常は、まず見向きもされないといってよい。
【０００７】
すなわち、リンゴ、ミカン等は、鮮やかな色彩のものから売れて行き、一方、しからざるものは、結局、空しく売れ残り、廃棄処分の対象ともなる。それ故、栽培業者、販売業者にとって、その果実等の外見の色彩は、商品の売れ行きを左右する極めて重要な意義を有するものであり、決してゆるがせにはできないのである。
【０００８】
このように、リンゴ等果実にとってその色彩はきわめて重要であるが、近年、色づきのよいリンゴ等を得ることが困難になりつつあるという深刻な問題が生じている。
【０００９】
もともと、果実の色づきは、果樹園の所在する地域の昼と夜の温度差が大きいために（例えば標高の高い高原地帯のような、昼間の日照時には比較的暖かく、夜間は満天の星空の下、体の芯までぐっと冷え込むような地域において）、生ずるものであるが、近年における地球温暖化の影響からか、このような高標高地である高原地帯においてさえも、夜間の気温があまり低下しないため、色づきに必須の条件である昼夜の温度差が少なくなっているためとされる。
【００１０】
このような、一般にはまだあまり知られてはいないが、果樹等の栽培業者にとってきわめて重大な環境の変化が着実に進行しつつあるため、これを補い、人為的に果実等の色づきを促進することのできる葉面散布剤の重要性は、ますます大きくなっている。また、栽培業者にとっても、このような葉面散布剤は、のどから手が出るほど渇望されているものである。
【００１１】
本出願人は、かかる観点から、先に、縮合リン酸塩のカリウム塩を有効成分とする果樹等の葉面散布剤が果実等の着色を向上させうることを提案した（特許文献１を参照。）。
【００１２】
当該葉面散布剤によれば、きわめて果実の色づきを向上させることができる。（さらに、果実の表側（つるもと）だけでなく、あまり日光の照射されない裏側（尻の部分）の着色をも、顕著に向上させることができるものであることも確認されている。）
【００１３】
しかしながら、このように着色性を促進させた場合、当該果実は、放置後その硬さが早急に低下し、柔らかさが増加する場合があった。これは果実の「日持ち」として、評価されるものであって、あまり柔らかくなったリンゴ等の果実（例えば、指で押した場合、容易に陥没する状態となったもの）では、新鮮な果実特有のシャキッとした歯ごたえがなくなり、その商品価値は、大きく低下することになる。なお、このように指が容易に貫入する状態となったものは、もはや、ジュース等の加工原料用にも適さず、廃棄せざるを得ないことになるのであるから、日持ち（「棚持ち」ともいう。）が悪化することもまた、きわめて深刻な問題なのである。
【００１４】
【特許文献１】特開２００３−２７４７６１
【発明の開示】
【発明が解決しようとする課題】
【００１５】
本発明の目的は、果実等の色づきを促進させるとともに、日持ちのする（硬度低下の少ない）葉面散布剤を提供することである。
【課題を解決するための手段】
【００１６】
本発明に従えば、以下の葉面散布剤が提供される。
〔１〕
少なくともカリウム成分とリン酸成分を有効成分として含有し、その質量比φ（Ｋ2Ｏ／Ｐ2Ｏ5）が式（１）の範囲にあり、
１．０≦φ≦２．５      （１）
【００１７】
散布時の濃度が式（２）及び（３）の範囲にあり、さらに当該カリウム成分は、少なくともその一部が水溶性カリウム塩由来のものであることを特徴とする果樹及び／又は果菜用葉面散布剤。
１０≦Ｋ2Ｏ≦５０００ｐｐｍ              （２）
１０≦Ｐ2Ｏ5≦５０００ｐｐｍ            （３）
【００１８】
〔２〕
さらに蔗糖脂肪酸エステルを配合してなる〔１〕項に記載の果樹及び／又は果菜用葉面散布剤。
【発明の効果】
【００１９】
本発明に従えば、果実等の色づきを促進させるとともに、日持ちのする（硬度低下の少ない）葉面散布剤が提供される。
【発明を実施するための最良の形態】
【００２０】
以下、本発明について詳細に説明する。
本発明の葉面散布剤は、有効成分として、基本的に、カリウム成分とリン酸成分を含有し、その質量比φ（Ｋ2Ｏ／Ｐ2Ｏ5）が式（１）の範囲にあるものである。
１．０≦φ≦２．５      （１）
【００２１】
（リン酸成分）
リン酸成分のリン酸源としては、例えば、正リン酸（オルソリン酸）及び／又は縮合リン酸から選択される。
【００２２】
ここで縮合リン酸とは、オルソリン酸（Ｈ3ＰＯ4）（正リン酸）が２モル以上縮合した縮合リン酸（ポリリン酸ともいう。）である。かかる縮合リン酸としては、特に限定するものではないが、ピロリン酸（Ｈ4Ｐ2Ｏ7）、トリポリリン酸（Ｈ5Ｐ3Ｏ10）、トリメタリン酸（Ｈ3Ｐ3Ｏ9）、ウルトラリン酸（Ｈ2Ｐ4Ｏ11）、テトラメタリン酸（Ｈ4Ｐ4Ｏ12）、イソテトラポリリン酸（Ｈ6Ｐ4Ｏ13）、テトラポリリン酸（Ｈ6Ｐ4Ｏ13）、ヘキサメタリン酸（Ｈ6Ｐ6Ｏ18）、及びさらなる高縮合リン酸（Ｈn+2ＰnＯ3n+1）（ｎ＞４）等が挙げられる。
【００２３】
これらの縮合リン酸等は、その一種を単独で使用しても良いし、二種以上を混合して使用してもよい。また、少なくともその一部がリチウム、ナトリウム、カリウム、マグネシウム、カルシウム、アンモニウム等の塩になっていてもよい。
【００２４】
（カリウム成分）
カリウム成分（以下単に「カリ」ということがある。）のカリ源としては、水溶性のカリウム塩から選択されることが好ましく、例えば以下のものがあげられる。
すなわち、塩化カリ（Ｋｌ）、フッ化カリ（ＫＦ）、ヨウ化カリ（ＫＩ）、臭化カリ（ＫＢｒ）、硫酸カリ（Ｋ2ＳＯ4）、硫酸水素カリ（ＫＨＳＯ4）、亜硫酸カリ（Ｋ2ＳＯ3）、亜硫酸水素カリ（ＫＨＳＯ3）、チオ硫酸カリ（Ｋ2Ｓ2Ｏ3）炭酸カリ（Ｋ2ＣＯ3）、炭酸水素カリ（ＫＨＣＯ3）、硝酸カリ（ＫＮＯ3）、亜硝酸カリ（ＫＮＯ2）、ホスフィン酸カリ（ＫＰＨ2Ｏ2）、ホスホン酸カリ（Ｋ2ＰＨＯ3）、塩素酸カリ（ＫＣｌＯ3）、三リン酸カリ（Ｋ3ＰＯ4）、リン酸水素二カリ（Ｋ2ＨＰＯ4）、リン酸二水素カリ（ＫＨ2ＰＯ4）、臭素酸カリ（ＫＢｒＯ3）、ヨウ素酸カリ（ＫＩＯ3）、水酸化カリ（ＫＯＨ）、硫化カリ（Ｋ2Ｓ）、Ｋ2Ｓ2（二硫化二カリ）、メタホウ酸カリ（ＫＢＯ2）、硫化水素カリ（ＫＨＳ）、二亜硫酸カリ（Ｋ2Ｓ2Ｏ5）、酢酸カリ（ＫＣＨ3ＣＯＯ）、シュウ酸カリ（Ｋ2Ｃ2Ｏ4）等が好ましい。
これらのカリ塩は、リン酸成分と同様に、その一種または二種以上を混合して使用してよい。
【００２５】
（縮合リン酸カリ塩）
また、リン酸成分とカリ成分の両者を含有する以下のような縮合リン酸カリ塩を使用することもできる。
【００２６】
例えば、ピロリン酸カリ（Ｋ4Ｐ2Ｏ7）、トリポリリン酸カリ（Ｋ5Ｐ3Ｏ10）、トリメタリン酸カリ（Ｋ3Ｐ3Ｏ9）、ウルトラリン酸カリ（Ｋ2Ｐ4Ｏ11）、テトラメタリン酸カリ（Ｋ4Ｐ4Ｏ12）、イソテトラポリリン酸カリ（Ｋ6Ｐ4Ｏ13）、テトラポリリン酸カリ（Ｋ6Ｐ4Ｏ13）、ヘキサメタリン酸カリ（Ｋ6Ｐ6Ｏ18）、及びさらなる高縮合リン酸カリ（Ｋn+2ＰnＯ3n+1）（ｎ＞４）等が好ましいものとして挙げられる。
【００２７】
ただし、縮合リン酸カリを使用する場合は、上記した水溶性カリウム塩を併用添加することが必須である。これは、カリウム成分とリン酸成分の質量比φを上記（１）式を満足するように調整する必要があること、および縮合リン酸カリ特有の吸湿性を低減し、かつ、水溶液とした場合の加水分解の防止をはかって、後記する本発明の葉面散布剤としての効果を確保するためには、当該カリウム成分は、少なくともその一部が水溶性カリウム塩由来のものであることが要請されるからである。
【００２８】
本発明の葉面散布剤における全カリウムＸに対する水溶性カリウム塩由来のカリ量ｘk
の質量比α（＝ｘk／Ｘ）は、少なくとも０．１以上、好ましくは０．３以上、さらに好ましくは０．６以上、最も好ましくは１．０である。
【００２９】
（カリとリン酸の質量比）
本発明の葉面散布込剤における、カリ成分とリン酸成分の質量比φ（Ｋ2Ｏ／Ｐ2Ｏ5）は式（１）の範囲にあるものである。
１．０≦φ≦２．５      （１）
さらに好ましくは、当該質量比φは式（１’）を満足するものである。
１．１≦φ≦２．０      （１’）
【００３０】
質量比φが１．０未満であると、後記実施例に示すように、得られる果実の糖度が低くなり、また、保存時の硬度低下が大きく日持ちが悪くなる。また、質量比φがあまり大となり２．５を超えると、そもそも果実の色づきが非常に悪くなる。
【００３１】
本発明の葉面散布剤は、上記カリ成分及びリン酸成分を有効成分とするものであり、輸送・保管時は濃厚液として扱うことが好ましいが、散布時には、通常、カリ成分及びリン酸成分を含有する希釈された水溶液の形態で使用される。
【００３２】
（カリとリン酸の濃度）
散布時における当該葉面散布剤水溶液中のカリ成分及びリン酸成分の濃度は、対象果樹や果菜の種類、散布回数、散布部位、散布の季節等によって、適宜選択されるが、通常、散布時におけるカリ成分及びリン酸成分の濃度は、それぞれ、
（２）式、（３）式の範囲にあることが好ましい。
１０≦Ｋ2Ｏ≦５０００ｐｐｍ                （２）
１０≦Ｐ2Ｏ5≦５０００ｐｐｍ              （３）
【００３３】
そして、さらに好ましくは、（２’）式、（３’）式の範囲にあるものである。
１００≦Ｋ2Ｏ≦１０００ｐｐｍ                （２’）
１００≦Ｐ2Ｏ5≦１０００ｐｐｍ              （３’）
【００３４】
ここで、例えば、Ｋ2Ｏ、Ｐ2Ｏ5濃度が、それぞれ４００ｐｐｍの散布剤を調製するには、Ｋ2Ｏ及びＰ2Ｏ5として、それぞれ４質量部の硫酸カリ等のカリウム塩、ポリリン酸等のリン酸に、１０００質量部の水を添加（１０００倍希釈）して溶解すればよく、また２００ｐｐｍの散布剤を調製するには、同様に２０００質量部の水を添加して（２０００倍希釈）、溶解すればよいのである。
【００３５】
（他の成分）
本発明の葉面散布剤においては、必須有効成分であるカリ成分及びリン酸成分とともに、通常葉面散布剤において使用されている種々の成分を適量含有せしめることを排除するものではない。
【００３６】
例えば、カルシウム、マグネシウム、マンガン、モリブデン、ケイ素、ホウ素、鉄、亜鉛、銅、ケイ酸、ホウ酸、ナトリウム等の無機成分；クエン酸、酢酸、グルコン酸、乳酸等の有機酸；グリシン、グルタミン酸、アスパラギン酸、プロリン、ハイドロオキシプロリン、アラニン、フェニルアラニン、リジン、アルギニン、バリン、ロイシン、イソロイシン、セリン、メチオニン、スレオニン、ヒスチジン等のアミノ酸；ビタミンＣ等のビタミン；蔗糖、砂糖等の糖の各成分を含有することができる。
【００３７】
また、その他の肥料成分、例えば、尿素、硫酸アンモニウム、塩化アンモニウム、硝酸アンモニウム、硝酸ナトリウム、硫酸グアニル尿素等の窒素質肥料成分を適量、所望により含有させることも可能である。
【００３８】
本発明の葉面散布剤においては、植物体表面への濡れ性等を高め、葉面吸収を向上させるため、所謂展着剤や界面活性剤を添加含有することができる。
【００３９】
界面活性剤としては、通常使用される、蔗糖脂肪酸エステル、ソルビタン脂肪酸エステル、ポリオキシエチレンアルキルエーテル、ポリオキシエチレンアルキルアリルエーテル、ポリオキシアルキレンアルキルソルビトールエステル等のノニオン系界面活性剤、アリル硫酸ナトリウム、アルキルナフタレンスルホン酸ナトリウム、アルキルスルホコハク酸塩、アルキル硫酸塩、α−オレフィンスルホン酸ナトリウム、アルカンスルホン酸ナトリウム等の陰イオン系界面活性剤が挙げられる。
【００４０】
（蔗糖脂肪酸エステル）
このうち、本発明においては、特に蔗糖脂肪酸エステル（シュガーエステルともいう。）が最も好ましい。これは、本発明者らが検討したところによれば、他の界面活性剤の場合しばしば問題となる、葉面散布剤を調製するときの泡立ちがなく、非常に作業性が良好なこと、及び、蔗糖脂肪酸エステルは、代表的な食品添加剤として、アイスクリーム、ココア、マーガリン、チョコレート、パン、めん類、ケーキ、カステラ、醤油、ようかん、さらには化粧品、医薬品等に常用されており、安全性の極めて高いと考えられるものだからである。
蔗糖脂肪酸エステルとは、例えば式（４）で表されるものである。
【００４１】
【化１】
2005219990.tif 000002
【００４２】
式（４）において、ＲＣＯＯは、飽和又は不飽和脂肪酸残基を表す。当該脂肪酸としては、例えば、エナント酸（ヘプタン酸）、カプリル酸、ペラルゴン酸、カプリン酸、ウンデシル酸、ラウリン酸、トリデシル酸、ミリスチン酸（テトラデカン酸）、ペンタデシル酸、パルミチン酸（ヘキサデカン酸）、ヘプタデシル酸、ステアリン酸（オクタデカン酸）、ノナデカン酸、アラキジン酸、ベヘン酸（ドコサン酸）等の飽和脂肪酸；
【００４３】
オレイン酸、エライジン酸、セトレイン酸、エルカ酸、ブラシジン酸、ソルビン酸、リノール酸、リノレン酸、アラキドン酸等の不飽和脂肪酸が好ましいものとして挙げられる。なお、蔗糖には、８個の水酸基があり、式（４）においては、その一つがエステル化されているものを示しているが、もちろんこれに限られるものではなく、所望とする親水性、親油性に応じて、親水性である残りの水酸基を、さらに親油性である炭素数の多い脂肪酸とエステル結合させ、モノエステル、ジエステル、トリエステル・・・としてもよい。また、さらにそれらの任意の混合エステルであってもよい。
【００４４】
蔗糖脂肪酸エステルは、脂肪酸の種類、エステル化度、ＨＬＢ等により各種のものが入手可能であり、適当なものを選択して使用することができる。
【００４５】
当該蔗糖脂肪酸エステルの配合量（併用量）は、主たる有効成分である、Ｋ2ＯとＰ2Ｏ5の合計量に対し、３０質量％以下、好ましくは２０質量％以下、さらに好ましくは１０質量％以下１質量％以上である。
【００４６】
本発明の葉面散布剤において、特に上記のような蔗糖脂肪酸エステルを配合することにより、当該葉面散布剤の葉表面や茎表面からの吸収が促進されるため、広大な果樹園において多数の果樹に対して散布する場合でも、その吸収効率が高くなり、散布効果がそれぞれの果樹において平均化し、果樹園全体として、葉面散布剤の効果がより確実に奏される。
【００４７】
本発明の葉面散布剤においては、さらに、ベントナイト、アタパルジャイト、グアガム、キサンタンガム、メチルセルロース、カルボキシルメチルセルロース、ポリビニルアルコール、アルギン酸ナトリウム、澱粉等の増粘剤、ｐＨ調節剤、殺菌剤や殺虫剤等の農薬、凍結防止剤、着色剤、キレート剤、消泡剤、帯電防止剤を必要に応じて含有させることもできる。
【００４８】
（対象果実等）
本発明の葉面散布剤が対象とする果実等としては、特にその果実の着色が商品価値上、大切であるものであり、例えばリンゴ、ミカン、カキ、ナシ、サクランボ、ブドウ、ビワ、アンズ、モモ、ウメ等が挙げられ、また果菜としては、トマト、イチゴ、スイカ、メロン等が挙げられるが、これに限定されるものではない。なお、さらにまた、ピーマン、ナス、キュウリに対して使用することも可能である。
【００４９】
（噴霧回数等）
本発明のカリウム成分及びリン酸成分を有効成分として含有し、カリウム成分とリン酸成分との質量比φが１．０〜２．５、好ましくは１．１〜２．０の範囲にある葉面散布剤は、好ましくは希釈した状態の水溶液とし、噴霧器等の噴霧手段により、主として、上記対象とする果樹や果菜の葉面（表面及び／又は裏面）に散布される。噴霧時期及び回数は、特に制限されるものではないが、通常、果実の登熟期で、収穫に至る前の時期に間隔をおいて、１〜５回、好ましくは１〜３回程度行われる。場合によっては、１〜２回の散布であっても充分効果を奏することができる。
【００５０】
１回当たりの散布量は、果樹や果菜の種類によっても異なりうるものであるが、およその目安として、果樹１本当たり、Ｋ2ＯとＰ2Ｏ5濃の合計量として、０．１〜１００ｇ、好ましくは０．５〜５０ｇ、さらに好ましくは１〜１０ｇ程度である。
散布は、通常、朝または夕方に行うことが好ましく、またすでに述べたように、農薬と混合使用することも可能である。
【００５１】
〔実施例〕
以下、実施例により本発明を説明する。 但し、これらは単なる実施の態様の一例であり、本発明の技術的範囲がこれらにより何ら限定的に解釈されるものではない。
以下の実施例、比較例において、糖度及び硬度の測定試験は以下にようにして行った。
【００５２】
（１）糖度は、ATAGO社製デジタル糖度計（PR-1）を使用して測定し、ブリックス（Brix糖度）として表示した。すなわち、りんごをたてて赤い部分の側面を縦、横の長さともに５ｃｍ程度になるように切断し、その切り取られた部分を搾汁した試料液について、上記糖度計により測定した。
【００５３】
（２）硬度は、貫入型硬度計SHIMPO社製果実硬度計（FGL-30B）を使用して測定した。すなわち、上記の切り取って残った部分（果肉部分）を使用し、当該りんごの切断面に対して垂直に硬度計の先端部分を押して貫入させ、当該先端が停止した時点の貫入硬度（ｌｂ／ポンド）を測定した。
【実施例１】
【００５４】
（１）長野県下において、リンゴの樹（品種：つがる）について、カリ成分とリン酸成分を有効成分とする葉面散布剤の試験を行った。
【００５５】
まず、カリ成分としては、水溶性カリウム塩である硫酸カリウム（試薬特級）を、リン酸成分として正リン酸（試薬特級）を用いて、カリ成分とリン酸成分の質量比率φ（＝Ｋ2Ｏ／Ｐ2Ｏ5）＝１．２となるようにして散布剤を調製した。
【００５６】
当該散布剤を希釈して散布試験を行った。すなわち、散布時の濃度として、上記の散布剤１ｇを１Ｌに希釈したもの（以下、１０００倍希釈品と称する。希釈品中のＫ2Ｏ濃度：４４０ｐｐｍと、Ｐ2Ｏ5濃度：４００ｐｐｍ）と、１ｇを２Ｌの水に希釈したもの（以下、２０００倍希釈品と称する。希釈品中のＫ2Ｏ濃度：２２０ｐｐｍと、Ｐ2Ｏ5濃度：２００ｐｐｍ）を、一株当たり５Ｌ散布した。試験区は、Ａ、Ｂ、Ｃ（無散布区）とした。試験条件は表１に示したとおりであり、収穫日の前に１回又は２回散布した。
【００５７】
【表１】
2005219990.tif 000003
【００５８】
表中、Ａ−１、Ｂ−１は、１０００倍希釈品を１回のみ散布したもの、Ａ−２、Ｂ−２は、２０００倍希釈品を２回散布したものである。
【００５９】
（２） 以上の試験区において得られた代表的なリンゴ試料各１０個のうち、５個については収穫日における糖度及び硬度を測定した。また、硬度については、残りの５個の当該リンゴをそのまま室内で室温にて１０日間貯蔵した後の硬度測定を行った。結果を表２に示す。
【００６０】
（ｉ）まず、これら試料をならべて目視及びデジタルカメラにより比較・観察・記録した結果によれば、試験区Ａ、Ｂのものは表側、裏側のいずれも鮮やかな赤色に着色しているリンゴとなっていることが、一目瞭然であった。これに対して、無散布区のリンゴは、表側も裏側も大部分が青いままであり、かつ、表側の一部分が、僅かに赤く着色しているだけであり、両者には歴然たる差異が認められた。
【００６１】
（ｉｉ）また表２より、本発明の散布剤を散布した試験区Ａ、Ｂのものは、無散布区（対照区）Ｃの試料に比較して、特に、糖度が、大幅に高くなっていることが認められた。
【００６２】
（ｉｉｉ）さらに、硬度については、葉面散布剤を施した試験区Ａ、Ｂともに、収穫１０日後の硬度（又は硬度低下）が、無散布区とほぼ同じであることが特筆される。
【００６３】
すなわち、通常、リン酸成分（Ｐ2Ｏ5）濃度の高い葉面散布剤を使用すると、色づきは促進されるものの、日持ちが低下する（すなわち、例えば１０日間貯蔵した場合大幅な硬度低下が生ずる。）という問題を伴うのが一般的であったのに対し、本発明の葉面散布剤においては、当該葉面散布を行った試験区Ａ、Ｂともに、無散布区とほぼ同じ硬度の差となっているという予想外の結果が得られている。（無散布の場合は、色づきは劣るが、その分だけ最も日持ちは優れているものであり、硬度判定の基準となる。）。
【００６４】
なお、この硬度の低下の少ないリンゴ試料について、リンゴ果樹園の栽培者及び果樹栽培研究者３名が、当該収穫してから１０日間貯蔵後のリンゴの果肉を試食する官能試験を行ったが、果肉は依然としてまだ充分硬く、食感はシャキッとして、歯ごたえがあり、美味しいリンゴであるという官能評価が得られた。すなわち、葉面散布剤を散布しても、色づきがよく、かつ、日持ちのする商品価値の高いものであることが確認された。
【００６５】
【表２】
2005219990.tif 000004
【実施例２】
【００６６】
長野県下において、りんごの樹（品種：つがる）について、実施例１と同様なカリ成分とリン酸成分を有効成分とする葉面散布材の散布試験を、Ｋ2ＯとＰ2Ｏ5の比率をかえて行った。試験区としてＫ2ＯとＰ2Ｏ5の質量比φを、10.0,5.0（比較例）,2.0，1.1（実施例）,0.5,0.1（比較例）とかえたものを散布区とし、同時に対照として、無散布区も設けた。ただし、Ｐ2Ｏ5の希釈後の濃度は、４００ｐｐｍで一定となるようにした。
【００６７】
散布区については、２０００倍希釈品を、各区、収穫日（8月31日）の一ヶ月前（7月30日）と二ヶ月前（7月１日）の2回散布を一株当たり５Ｌ散布を行った。
【００６８】
各試験区1株から10個を無作為に収穫し、そのうち5個について、糖度及び硬度の測定を行った。また、残りの5個については、10日後、硬度を測定した。  
結果を表3に示す。
【００６９】
【表３】
2005219990.tif 000005
【００７０】
（ｉ）これら試料をならべて、実施例１と同様にして目視及びデジタルカメラにより、色づきを比較・観察・記録した結果によれば、φが2.0,1.1のもの（実施例）と、φが小さい0.5,0.1のもの（比較例）は、表側、裏側ともに、鮮やかな赤色に着色したリンゴであることが確認された。また、φの大きい、10.0,5.0のもの（比較例）及び無添加区（対照区）では、ほんどの試料が青いままであり、赤く着色している部分は少なかった。
【００７１】
（ｉｉ）また、糖度については、表３より、φが2.0,1.1のもの（実施例）は、糖度が高い。一方、φが10.0,5.0,0.5,0.1のもの（比較例）及び無添加区（対照区）では、糖度はずっと低いものである。
【００７２】
（ｉｉｉ）さらに、硬度については、収穫直後は、φが2.0,1.1のもの（実施例）も、無添加区（対照区）とほとんど差異は認められなかったが、収穫１０日後の硬度は、φが0.5,0.1のもの（比較例）は、硬度が画然と低下した。なお、φが10.0,5.0のもの（比較例）は、収穫直後も、１０日後も、硬度については無添加区（対照区）よりも大であった。
【００７３】
これらの試料について実施例１と同様に試食する官能試験を行ったが、φが2.0,1.1のもの（実施例）は、無添加区（対照区）と同様に、果肉が依然として充分硬く、食感はシャキッとして、歯ごたえがあり、美味しいリンゴであった。硬度が大幅に低下したφが0.5,0.1のもの（比較例）は、食感も、スカスカ若しくはフカフカした頼りないもので、シャキッとした好ましい歯ごたえはなかった。なお、φが10.0,5.0と大きい青いリンゴ（比較例）は、無散布地区以上に硬くなりすぎて、歯でかみ切るのに苦労する程であった。
【実施例３】
【００７４】
実施例１で使用した葉面散布剤（φ＝１．２）に対し、さらに蔗糖脂肪酸エステルを配合して、その散布試験を、長野県下において、試験規模を拡大して実施した。
【００７５】
すなわち、蔗糖脂肪酸エステルとして、蔗糖のステアリン酸エステル（ＤＫエステルＦ１１０、第一製薬社製、ＨＬＢ:１１）を、Ｋ2ＯとＰ2Ｏ5の合計量に対して、５％配合した。対象果樹は実施例と同じく、リンゴ（品種：つがる）であり、試験規模は１０ａとした。
【００７６】
散布スケジュールは表４のように、１０００倍希釈品を、Ａ区（１回散布）、Ｂ区（２回散布）、Ｃ区（３回散布）、Ｄ区（無散布）とし、収穫日はいずれも8月２２日とした。
【００７７】
【表４】
2005219990.tif 000006
【００７８】
試験結果を表５に示した。なお、収穫物のサンプル数は、試験区Ａは487個、試験区Ｂは522個、試験区Ｃは548個、試験区Ｄは224個のサンプルの平均値である。また、着色度は、カラーセンサーにより測定した。
【００７９】
【表５】
2005219990.tif 000007
【００８０】
（ｉ）表５より明らかなごとく、着色度について、試験区Ａ、Ｂ、Ｃのものは、無散布区（対象区）Ｄのものと比較して、画然たる差異が認められた。
【００８１】
（ｉｉ）また、糖度については、試験区Ａ、Ｂ、Ｃのものは、無散布区Ｄの試料に比較して、１度以上の大幅な差が認められた。特に、糖度が、大幅に高くなっていることが認められる。
【００８２】
（ｉｉｉ）さらに、硬度については、葉面散布剤を施した試験区Ａ、Ｂ、Ｃともに、収穫時及び収穫１０日後の硬度（又は硬度低下）が、無散布区Ｄとほとんど同じであることが確認された。
【００８３】
すなわち、本発明の葉面散布剤においては、当該葉面散布を行った試験区Ａ、Ｂ、Ｃともに、無散布区Ｄとほぼ同じ硬度（硬度低下）であり（葉面散布により、日持ちが低下しない）という、実施例１で得られた結果が、規模を大にした試験によっても確認された。（無散布の場合は、着色度は劣るが、その分だけ最も日持ちは優れているものであることは、すでに述べたとおりである。）。
【００８４】
なお、１０日間貯蔵後のリンゴの果肉を試食する官能試験において、試験区のものは、糖度が高いため甘く、非常に美味であった。また、食感については、散布区、対象区とも果肉は充分硬く、食感はシャキッとして、歯ごたえがある美味しいリンゴであるという評価であった。このように、本発明の葉面散布剤は、これを散布しても、色づきがよく、かつ、日持ちのする商品価値の高いリンゴが得られるものであることが確認された。
【実施例４】
【００８５】
実施例２で使用した葉面散布剤（φ＝１．２）に対し、実施例３で使用したものと同じ蔗糖脂肪酸エステルを配合して、実施例２に準じた散布試験を、長野県下において、さらに試験規模を拡大して実施した。
【００８６】
すなわち、蔗糖脂肪酸エステルとして、蔗糖のステアリン酸エステル（ＤＫエステルＦ１１０、第一製薬社製）を、Ｋ2ＯとＰ2Ｏ5の合計量に対して、５％配合した。対象果樹は実施例と同じく、リンゴ（品種：つがる）であり、試験規模は１０ａとした。
【００８７】
収穫物のサンプル数としては、φ=10.0は234個、φ=5.5は184個、φ=2.0は334個、φ=１.1は382個、φ=0.5は238個、φ=0.1は198個、無散布区は154個であった。
試験結果は表６に示す。
【００８８】
【表６】
2005219990.tif 000008
【００８９】
（ｉ）これら試料をならべて、実施例１と同様にして目視及びデジタルカメラにより、色づきを比較・観察・記録した結果によれば、実施例２と同様に、φが2.0,1.1のもの（実施例）と、φが小さい0.5,0.1のもの（比較例）は、全体的に鮮やかな赤色に着色したリンゴであった。また、φの大きい、10.0,5.0のもの（比較例）及び無添加区（対照区）では、ほんどの試料が青いままであり、ごく僅かの部分が赤く着色してだけであった。
【００９０】
（ｉｉ）糖度については、表６より、φが2.0,1.1のもの（実施例）は、糖度が高い。一方、φが10.0,5.0,0.5,0.1のもの（比較例）及び無添加区（対照区）では、糖度はずっと低い。
【００９１】
（ｉｉｉ）さらに、硬度については、収穫直後は、φが2.0,1.1のもの（実施例）も、無添加区（対照区）とほとんど差異は認められなかったが、収穫１０日後の硬度については、φが0.5,0.1のもの（比較例）は、硬度が大きく低下した。なお、φが10.0,5.0のもの（比較例）は、収穫直後も、１０日後も、硬度については無添加区（対照区）よりも大であった。
【００９２】
これらの試料について実施例１と同様に試食試験を行ったが、φが2.0,1.1のもの（実施例）は、無添加区（対照区）と同様に、果肉が充分硬く、食感はシャキッとして、歯ごたえがあるリンゴであった。これに対し、硬度が大幅に低下したφが0.5,0.1のもの（比較例）は、食感も、グニャッとした感じで、へんに柔らかい歯ごたえのないものであった。
【産業上の利用可能性】
【００９３】
本発明によれば、果実等の色づきを促進させているにかかわらず、当該果実等は日持ちのする（硬度低下の少ない）、果樹及び／又は果菜用の葉面散布剤が提供される。特に近年、地球温暖化の影響からか果実の色づきが非常に悪くなっており、本発明の葉面散布剤は、大きな産業上の利用可能性を有するといえる。